(57)【要約】【課題】  畳表の油性下地インキ上に複数色の絵柄をインクジェット式カラー印刷機により一度に印刷でき印刷の手間と時間を大幅に削減できると共に、各選択したインキの組成相互の性質により、乾燥させた油性下地インキ上に水性カラーインキが定着し易く絵柄を鮮明に施すことができ、鮮明な絵柄を透明コーティング膜が保護して長期間絵柄を保存できるようにする。【解決手段】  畳表に油性下地インキを印刷し、その上面にインクジェット式カラー印刷機により水性カラーインキからなる絵柄を印刷し、この水性カラーインキにより印刷した絵柄の上面に透明コーティング膜を施した。【選択図】図１
2007162442.tif 000002
【特許請求の範囲】
【請求項１】
畳表の油性下地インキ層上面に水性カラーインキからなる絵柄を印刷した畳。
【請求項２】
前記水性カラーインキにより印刷した絵柄の上面に透明コーティング膜を施した請求項１記載の絵柄を印刷した畳。
【請求項３】
畳表に油性下地インキをスクリーン印刷し、その油性下地インキ上面に水性カラーインキからなる絵柄をインクジェット式カラー印刷機により印刷し、その水性カラーインキによる絵柄上面に透明コーティング膜を施す様にした絵柄を印刷した畳の印刷方法。
【請求項４】
前記油性下地インキが着色顔料（体質顔料を含む）１５〜２５、酢酸ビニル系樹脂１０〜２０％、芳香族炭化水素系溶剤４５〜５５％、石油系炭化水素溶剤５〜１５％、補助剤１〜１０％の組成からなる請求項１乃至３記載の絵柄を印刷した畳及びその印刷方法。
【請求項５】
前記水性カラーインキがポリエステルフィルム６０〜６４％、合成樹脂１０〜１４％、パラフィンワックス８〜１２％、カルナバワックス８〜１２％、ポリエチレンワックス＜４、分散剤＜４、カーボンブラック１〜５％の組成からなる請求項１乃至３記載の絵柄を印刷した畳及びその印刷方法。
【請求項６】
前記透明コーティングが顔料０〜４０％、感光性樹脂２０〜６０％感光性モノマー２０〜６０％、光重合開始剤３〜５％の油性組成からなる請求項２及び３記載の絵柄を印刷した畳及びその印刷方法。
【請求項７】
前記透明コーティングが水性ニスである請求項２及び３記載の絵柄を印刷した畳及びその印刷方法。
【発明の詳細な説明】
【発明の詳細な説明】
【技術分野】
【０００１】  本発明は畳表に絵柄を印刷した畳及びその印刷方法に関するものである。
【背景技術】
【０００２】  例えば、本出願人が提出した特開２００３−３２７８７７号公報では、着色顔料（体質顔料を含む）１５〜２５％、酢酸ビニル系樹脂１０〜２０％、芳香族炭化水素系溶剤４５〜５５％、石油系炭化水素溶剤５〜１５％、補助剤１〜１０％の組成からなる畳表に施す油性下地インキ上に、着色顔料（体質顔料を含む）２０〜５５％、酢酸ビニル系樹脂１５〜２５％、芳香族炭化水素系溶剤４０〜５５％、補助剤３〜５％の組成からなる油性仕上げインキにより絵柄を畳表面にスクリーン印刷する印刷方法を開示した。【０００３】  しかしながら、この発明においては、絵柄の印刷が油性仕上インキによるスクリーン印刷のため手刷りであり、色彩の異なる印刷ごとにスクリーンを交換しなければならず（シアン、イエロー、マゼンタ、ブラックの順に交換）、そのため、印刷の手間と時間を要していた。【０００４】  また、水性カラーインキを使用する例えばインクジェット式印刷機により絵柄を畳表に直接施すと、インキが水性であるため畳表にインキが染み込んで絵柄が鮮明に印刷できず、また絵柄表面が擦れたりすると絵が徐々に薄れ不鮮明になってしまう。
【発明が解決しようとする課題】
【０００５】  本発明は、畳表の油性下地インキ上に複数色の絵柄をインクジェット式カラー印刷機により一度に印刷して印刷の手間と時間を大幅に削減する共に、各選択したインキの組成相互の性質により、乾燥させた油性下地インキ上に水性カラーインキが定着し易く絵柄を鮮明に施すことができ、さらに鮮明な絵柄が長期間保存できるようにした。
【課題を解決する手段】
【０００６】  請求項１の発明は、畳表の油性下地インキ層上面に水性カラーインキからなる絵柄を印刷した畳を提供するものである。
【０００７】  この発明においては、畳表の油性下地インキ層上面に複数色（シアン、イエロー、マゼンタ、ブラック等）の絵柄をインクジェット式カラー印刷機により一度に印刷でき印刷の手間と時間を大幅に削減できると共に、各選択したインキの組成相互の性質により、乾燥させた油性下地インキ上に水性カラーインキが定着し易く絵柄を鮮明に施すことができる絵柄を印刷した畳を提供することが出来る。
【０００８】  請求項２の発明は前記水性カラーインキにより印刷した絵柄の上面に透明コーティング膜を施した請求項１記載の絵柄を印刷した畳を提供するものである。
【０００９】  この発明においては、鮮明な絵柄を透明コーティング膜が保護して長期間絵柄を保存できるようにした絵柄を印刷した畳を提供することが出来る。
【００１０】  請求項３の発明は、畳表に油性下地インキをスクリーン印刷し、その油性下地インキ上面に水性カラーインキからなる絵柄をインクジェット式カラー印刷機により印刷し、その水性カラーインキによる絵柄上面に透明コーティング膜を施す様にした印刷方法を提供するものである。
【００１１】  この発明においては、畳表の油性下地インキ上に複数色の絵柄をインクジェット式カラー印刷機により一度に印刷でき印刷の手間と時間を大幅に削減できると共に、各選択したインキの組成相互の性質により、乾燥させた油性下地インキ上に水性カラーインキが定着し易く絵柄を鮮明に施すことができ、鮮明な絵柄を透明コーティング膜が保護して長期間絵柄を保存できるようにした絵柄を印刷した畳の印刷方法を提供することが出来る。
【００１２】  請求項４の発明は、前記油性下地インキが着色顔料（体質顔料を含む）１５〜２５、酢酸ビニル系樹脂１０〜２０％、芳香族炭化水素系溶剤４５〜５５％、石油系炭化水素溶剤５〜１５％、補助剤１〜１０％の組成からなる請求項１乃至３記載の絵柄を印刷した畳及びその印刷方法を提供するものである。
【００１３】  この発明においては、畳表に強固に定着して容易に剥がれず、また絵柄を形成する水性カラーインキが定着しやすい油性下地インキを提供することができる。
【００１４】  請求項５の発明は、前記水性カラーインキがポリエステルフィルム６０〜６４％、合成樹脂１０〜１４％、パラフィンワックス８〜１２％、カルナバワックス８〜１２％、ポリエチレンワックス＜４、分散剤＜４、カーボンブラック１〜５％の組成からなる請求項１乃至３記載の絵柄を印刷した畳及びその印刷方法を提供するものである。
【００１５】  この発明においては、油性下地インキ層に定着し易くかつ透明コーティング膜が定着し易い水性カラーインキを提供することができる。
【００１６】  請求項６の発明は、前記透明コーティング膜が顔料０〜４０％、感光性樹脂２０〜６０％感光性モノマー２０〜６０％、光重合開始剤３〜５％の組成からなる請求項１乃至３記載の絵柄を印刷した畳及びその印刷方法を提供するものである。また、請求項７の発明は、前記透明コーティングが水性ニスである請求項２及び３記載の絵柄を印刷した畳及びその印刷方法
【００１７】  これらの発明においては、前記水性カラーインキに定着し易く絵柄を最適に保護する透明コーティング膜を提供することができる。
【発明を実施するための最良の形態】
【００１８】  以下に本発明の一実施形態を図面に基づき説明する。図１は畳１の畳表２に絵柄３を施した断面図であり、畳表２上面に油性下地インキ４をスクリーン印刷により印刷し、その上層に水性カラーインキを使用するインクジェット式カラー印刷機により絵柄３の複数色を一度に印刷する。実際は油性下地インキ層４上に白色水性インキ５をスクリーン印刷し、その上層に水性カラーインキを使用するインクジェット式カラー印刷機により絵柄３の複数色を一度に印刷するようにする。【００１９】  図２は本発明の絵柄を印刷した畳の印刷工程を示すものであり、先ず、畳表に油性下地インキをスクリーン上に置きスキージーで加圧しながら印刷する。その後油性下地インキを乾燥させ、乾燥した油性下地インキ層上面に白色水性インキを同様にスクリーン印刷した後乾燥する。【００２０】  次に、乾燥させた白色水性インキ層の上面に水性カラーインキを使用するインクジェット式カラー印刷機により複数色（シアン、イエロー、マゼンタ、ブラック等）を有する絵柄を一度に印刷して乾燥する。【００２１】  さらに、上記印刷した絵柄の上面に透明コーティング膜６を塗布して絵柄の保護膜を形成して、その後同様に乾燥する。【００２２】  尚、前記油性下地インキは着色顔料（体質顔料を含む）１５〜２５、酢酸ビニル系樹脂１０〜２０％、芳香族炭化水素系溶剤４５〜５５％、石油系炭化水素溶剤５〜１５％、補助剤１〜１０％の組成からなる。【００２３】  また、前記水性カラーインキはポリエステルフィルム６０〜６４％、合成樹脂１０〜１４％、パラフィンワックス８〜１２％、カルナバワックス８〜１２％、ポリエチレンワックス＜４、分散剤＜４、カーボンブラック１〜５％の組成からなる【００２４】  さらに、前記透明コーティング膜は顔料０〜４０％、感光性樹脂２０〜６０％感光性モノマー２０〜６０％、光重合開始剤３〜５％の組成若しくは水性ニスからなる。
【発明の効果】
【００２５】  上記の如く本発明においては、畳表の油性下地インキ上に複数色の絵柄をインクジェット式カラー印刷機により一度に印刷でき印刷時間を大幅に削減できると共に、各選択したインキの組成相互の性質により、乾燥させた油性下地インキ層上面に水性カラーインキが定着し易く絵柄を鮮明に施すことができ、鮮明な絵柄を透明コーティング膜が保護して長期間保存することができる。
【図面の簡単な説明】
【００２６】
【図１】畳の断面説明図
【図２】印刷工程図
【符号の説明】
１        畳
２        畳表
３        絵柄（インクジェット式印刷機の水性カラーインキ）
４        油性下地インキ層
５        白色水生インキ層
６        透明コーティング膜
【図１】
2007162442.tif 000003
【図２】
2007162442.tif 000004
【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
畳表面に油性下地インキ層をスクリーン印刷してその上面に絵柄を形成する畳表に絵柄を印刷する方法において、前記油性下地インキ上面に白色水性インキをスクリーン印刷し、またその白色水性インキ上面に水性カラーインキからなる絵柄をインクジェット式カラー印刷機により印刷し、さらにその絵柄上面に透明コーティング膜を塗布する様にした畳表に絵柄を印刷する方法。
【手続補正２】
【補正対象書類名】明細書
【補正対象項目名】全文
【補正方法】変更
【補正の内容】
【発明の詳細な説明】
【発明の詳細な説明】
【技術分野】
【０００１】  本発明は畳表に絵柄を印刷する印刷方法に関し、より詳しくは本出願人が提出した特開２００３−３２７８７７号に示した発明の改良に関するものである。
【背景技術】
【０００２】  本出願人が提出した特開２００３−３２７８７７号公報では、着色顔料（体質顔料を含む）１５〜２５％、酢酸ビニル系樹脂１０〜２０％、芳香族炭化水素系溶剤４５〜５５％、石油系炭化水素溶剤５〜１５％、補助剤１〜１０％の組成からなる畳表に施す油性下地インキ上に、着色顔料（体質顔料を含む）２０〜５５％、酢酸ビニル系樹脂１５〜２５％、芳香族炭化水素系溶剤４０〜５５％、補助剤３〜５％の組成からなる油性仕上げインキにより絵柄を畳表面にスクリーン印刷する印刷方法を開示した。【０００３】  しかしながら、この発明においては、絵柄の印刷が油性仕上インキによるスクリーン印刷のため手刷りであり、色彩の異なる印刷ごとにスクリーンを交換しなければならず（シアン、イエロー、マゼンタ、ブラックの順に交換）、そのため、印刷の手間と時間を要していた。【０００４】  また、水性カラーインキを使用する、例えばインクジェット式印刷機により絵柄を畳表に直接施すと、インキが水性であるため畳表にインキが染み込んで絵柄が鮮明に印刷できず、またインキが水性であるため絵柄表面が擦れたりすると絵が徐々に薄れ不鮮明になってしまう。さらに、油性下地インキ上面に直接インクジェット式印刷機により水性カラーインキからなる絵柄を印刷すると、上記油性下地インキが半透明の淡茶のため色が正確に発色せず曇ったような絵柄となり不鮮明となる。
【発明が解決しようとする課題】
【０００５】  本発明は、畳表の油性下地インキ上に複数色の絵柄をインクジェット式カラー印刷機により一度に印刷して印刷の手間と時間を大幅に削減する共に、油性下地インキ上に白色水性インキをスクリーン印刷し、またその白色水性インキ上面に水性カラーインキからなる絵柄をインクジェクト式カラー印刷機により印刷することにより、白色水性インキ上に水性カラーインキからなる絵柄が定着しやすくかつ絵柄が白色水性インキ上面に鮮明に印刷することが出来るようにする。
【課題を解決する手段】
【０００６】  請求項１の発明は、畳表面に油性下地インキ層をスクリーン印刷してその上面に絵柄を形成する畳表に絵柄を印刷する方法において、前記油性下地インキ上面に白色水性インキをスクリーン印刷し、またその白色水性インキ上面に水性カラーインキからなる絵柄をインクジェット式カラー印刷機により印刷し、さらにその絵柄上面に透明コーティング膜を塗布する様にした畳表に絵柄を印刷する方法を提供するものである。
【０００７】  この発明においては、畳表の油性下地インキ層上面に白色水性インキをスクリーン印刷し、その白色水性インキ上面にインクジェット式カラー印刷機により水性カラーインキからなる複数色（シアン、イエロー、マゼンタ、ブラック等）の絵柄を一度に印刷して印刷の手間と時間を大幅に削減することができる。
【０００８】  また、油性下地インキ上に白色水性インキをスクリーン印刷し、またその白色水性インキ上面に水性カラーインキからなる絵柄をインクジェット式カラー印刷機により印刷することにより、白色水性インキ上に水性カラーインキからなる絵柄が定着しやすくかつ絵柄が白色水性インキ上面に鮮明に印刷することが出来る。
【０００９】さらに、前記水性カラーインキからなる絵柄は水性であるため絵柄表面が擦れたりすると絵柄が徐々に薄れ不鮮明になってしまうが、それを透明コーティング膜により絵柄を鮮明なまま長期間保護することができる。
【発明を実施するための最良の形態】
【００１０】  以下に本発明の一実施形態を図面に基づき説明する。図１は畳１の畳表２に絵柄３を施した断面図であり、畳表２上面に油性下地インキ４をスクリーン印刷により印刷し、その上面に白色水性インキ５をスクリーン印刷し、その上面にインクジェット式カラー印刷機により水性カラーインキからなる絵柄３の複数色を一度に印刷するようにする。【００１１】  図２は本発明の絵柄を印刷した畳の印刷工程を示すものであり、先ず、畳表に油性下地インキをスクリーン上に置きスキージーで加圧しながら５〜６回印刷することにより畳表の凹凸上に平滑な状態にまで塗り重ねる。本出願人が提出した上記特開２００３−３２７８７７号公報から理解されるように、この油性下地インキは畳表の人口イグサの目内に浸透するため容易剥離にとすることがないと共に、表面は凹凸のない平滑な面に形成される。その後油性下地インキを乾燥させ、乾燥した油性下地インキ層の平滑な面上に白色水性インキを同様にスクリーン印刷した後乾燥する。油性下地インキと白色水性インキとの割合は１０：１である。【００１２】この白色水性インキはグリコール系溶剤２０〜３０％、アクリル系樹脂１０〜２０％、水２０〜３０％着色顔料（体質顔料を含む）３０〜４０％、補助剤１〜１０％の組成からなる。【００１３】  次に、乾燥させた白色水性インキ層の上面にインクジェット式カラー印刷機により水性カラーインキからなる複数色（シアン、イエロー、マゼンタ、ブラック等）を有する絵柄を一度に印刷して乾燥する。【００１４】  さらに、上記印刷した絵柄の上面に透明コーティング膜６をローラにより塗布して絵柄の保護膜を形成して、その後同様に乾燥する。即ち、前記水性カラーインキからなる絵柄は水性であるため絵柄表面が擦れたりすると絵柄が徐々に薄れ不鮮明になってしまうが、それを透明コーティング膜により絵柄を鮮明なまま長期間保護することができる。【００１５】  尚、前記油性下地インキは、本出願人が提出した上記特開２００３−３２７８７７号公報に示すように着色顔料（体質顔料を含む）１５〜２５、酢酸ビニル系樹脂１０〜２０％、芳香族炭化水素系溶剤４５〜５５％、石油系炭化水素溶剤５〜１５％、補助剤１〜１０％の組成からなる。【００１６】  また、前記インクジェットの水性カラーインキは、カーボンブラック、有機成分、グリセロール類、水等の組成からなる。【００１７】  さらに、前記透明コーティング膜は顔料０〜４０％、感光性樹脂２０〜６０％感光性モノマー２０〜６０％、光重合開始剤３〜５％の組成若しくは水性ニスからなる。
【発明の効果】
【００１８】  上記の如く本発明においては、畳表の油性下地インキ上の白色水性カラーインキ上面に水性カラーインキからなる複数色の絵柄をインクジェット式カラー印刷機により一度に印刷でき印刷時間を大幅に削減できると共に、白色水性インキ上に水性カラーインキからなる絵柄が定着しやすくかつ絵柄が白色水性インキ上面に鮮明に印刷することが出来る。さらに、前記水性カラーインキからなる絵柄は水性であるため絵柄表面が擦れたりすると絵柄が徐々に薄れ不鮮明になってしまうが、それを透明コーティング膜により絵柄を鮮明なまま長期間保護することができる。
【図面の簡単な説明】
【００１９】
【図１】畳の断面説明図
【図２】印刷工程図
【符号の説明】
１        畳
２        畳表
３        絵柄（インクジェット式印刷機の水性カラーインキ）
４        油性下地インキ層
５        白色水性インキ層
６        透明コーティング膜